(57)【特許請求の範囲】
【請求項１】
大容量電流を導通可能に電線を接続する接続構造であって、
前記電線を接続して大容量電流を導通させる接続対象側の本体部と、該本体部に連続して大容量電流を導通可能に前記電線を接続する接続部と、前記接続部を前記電線に圧接させるように締め付ける締付部と、を備えており、
前記接続部は、大容量電流を導通可能に前記電線の外面に大面積で接触するように連結されるとともに大容量電流を導通可能に大きな断面積となる形状に形成されている導通部と、前記導通部を交換可能に組み付けられて大容量電流を導通可能に該導通部の外面に大面積で接触するように連結されるとともに大容量電流を導通可能に大きな断面積となる形状に形成されている組付部と、を有して、
前記本体部および前記接続部は、前記電線と平行に延在して当該平行方向の分割面を有する２つ割りに形成されて、該２つ割りの前記接続部の前記導通部および前記組付部は前記電線を挟み込む形態で当該電線回りを囲む形状に形成され、
前記導通部は前記電線の線径に応じた外面に面接触可能な内面を形成されている複数種が準備されているとともに、
前記組付部は前記本体部に連続する一体形状に形成されることにより、
前記導通部は前記締付部の締付力により前記組付部と前記電線に圧接接触して大容量電流を導通可能に接続され、
前記接続部は、前記組付部に形成される前記導通部を収容する空間内に貫通するネジ孔が形成されることを特徴とする電線接続構造。
【請求項２】
前記本体部および前記接続部は、前記電線の延在方向に延長されており、
前記締付部は、当該延長方向の複数箇所に配置されていることを特徴とする請求項１に記載の電線接続構造。
【請求項３】
上記請求項１または２に記載の電線接続構造における前記本体部および前記締付部をそれぞれ少なくとも１つ以上備えるとともに前記接続部を２組以上備えて構成されており、
前記接続部間に前記本体部が介在する状態にして複数本の前記電線同士を接続対象側として分岐接続することを特徴とする電線分岐接続具。
【請求項４】
前記電線同士を平行に接続するように前記接続部同士を並列させていることを特徴とする請求項３に記載の電線分岐接続具。
【請求項５】
前記電線同士を延在方向が交差する状態で接続するように前記接続部同士を配列させていることを特徴とする請求項３に記載の電線分岐接続具。
【発明の詳細な説明】
【技術分野】
【０００１】
本発明は、電線接続構造および電線分岐接続具に関し、詳しくは、線径の異なる電線の接続を実現するものに関する。
【背景技術】
【０００２】
従来、電線を接続する場合に、圧接接続するだけで導通状態を確保するときには、電線の導通心線に接続対象側の端子電極を圧接接続する電線接続構造を採用することが行われており、例えば、その端子電極をネジにより電線の導通心線に押しつけるようにして圧接させ導通接続するネジ圧接方式や、端子電極に形成したスリット内に差し込んで圧接させ導通接続するスリット圧接方式や、弾性変形する端子電極をその弾性力により圧接させ導通接続する弾性圧接方式などが多用されている。
【０００３】
この種の圧接方式の電線接続構造では、上記のネジ圧接方式、スリット圧接方式、弾性圧接方式のいずれも、径の異なる導通心線でも圧接接続できるように端子電極を準備することが提案されている（例えば、特許文献１〜３）。
【０００４】
また、既設の電線を分岐する際に利用する分岐クランプ（電線分岐接続具）としては、既設の幹電線に対して分岐電線をＴ字状に接続する形態に作製されているものがあり、このＴ字状分岐クランプは、例えば、発変電所における電力線を分岐する場合には、大容量電流を導通可能に十分な接触面積で幹電線と分岐電線の双方に圧接接続させる必要がある（例えば、特許文献４）。
【先行技術文献】
【特許文献】
【０００５】
【特許文献１】特開２００２−２２２６６９号公報
【特許文献２】特開２００２−２３１３３０号公報
【特許文献３】特開２００８−２２６７７６号公報
【特許文献４】実開平７−５２５２号公報
【発明の概要】
【発明が解決しようとする課題】
【０００６】
しかしながら、上記の特許文献１に記載のネジ圧接方式の電線接続構造にあっては、電線の導通心線の外周面に平面状の端子電極を圧接させるだけなので、接触面積を大きくすることができない。
【０００７】
また、同様に特許文献２に記載のスリット圧接方式の電線接続構造にあっては、板状の端子電極に形成したスリット内に電線を割り込ませて、所謂、ナイフ接点のようにして導通接続させることから、接触面積を大きくすることができない。
【０００８】
また、同様に特許文献３に記載の弾性圧接方式の電線接続構造にあっては、板状の弾性変形可能な端子電極の間に挟み込ませて導通接続させることから、接触面積はある程度大きくとることができるが、電線径専用になってしまうとともに、その端子電極自体の断面積を大きくすることができず、電流容量を大きくすることができない。
【０００９】
このことから、上記の特許文献１〜３に記載のネジ圧接方式、スリット圧接方式、弾性圧接方式の電線接続構造は、いずれも発変電所などのように大容量電流を流す必要がある箇所では採用することができない。
【００１０】
さらに、上記の特許文献４に記載の分岐クランプにあっては、電線の導通心線の全周に巻き付くようにして接触面積を大きくすることを実現していることから、電線の導通心線の径に対応するように複数種を準備しておく必要があり、分岐接続する作業時には、その選定作業や調達作業に時間が掛かるとともに煩雑であり、また、その保管も煩雑になるという問題がある。
【００１１】
そこで、本発明は、径の異なる導通心線でも簡易かつ大面積に圧接接触させて導通させることのできる電線接続構造および電線分岐接続具を提供することを目的としている。
【課題を解決するための手段】
【００１２】
上記課題を解決する電線接続構造の発明の一態様は、大容量電流を導通可能に電線を接続する接続構造であって、前記電線を接続して大容量電流を導通させる接続対象側の本体部と、該本体部に連続して大容量電流を導通可能に前記電線を接続する接続部と、前記接続部を前記電線に圧接するように締め付ける締付部と、を備えており、前記接続部は、大容量電流を導通可能に前記電線の外面に大面積で接触するように連結されるとともに大容量電流を導通可能に大きな断面積となる形状に形成されている導通部と、前記導通部を交換可能に組み付けられて大容量電流を導通可能に該導通部の外面に大面積で接触するように連結されるとともに大容量電流を導通可能に大きな断面積となる形状に形成されている組付部と、を有して、前記導通部は前記電線の線径に応じた外面に面接触可能な内面を形成されている複数種が準備されているとともに、前記組付部は前記本体部に連続する一体形状に形成されることにより、前記導通部は前記締付部の締付力により前記組付部と前記電線に圧接接触して大容量電流を導通可能に接続されることを特徴とするものである。
【００１３】
上記課題を解決する電線分岐接続具の発明の一態様は、前記電線接続構造における前記本体部および前記締付部をそれぞれ少なくとも１つ以上備えるとともに前記接続部を２組以上備えて構成されており、前記接続部間に前記本体部が介在する状態にして複数本の前記電線同士を接続対象側として分岐接続することを特徴とするものである。
【００１４】
この発明の態様では、本体部と共に接続部は大容量電流を導通可能な断面積形状（厚さ）に形成されているとともに、その本体部と一体の接続部の組付部には交換可能な導通部が大面積で面接触する状態で連結される。その導通部は内面に電線外面が大面積で面接触する状態で組付部と共に締付部により締め付けられて圧接し導通接触される。したがって、組付部に連結する導通部を電線の導通部分の形状や寸法に応じて交換することができ、例えば、異なる径の電線の導通心線でも本体部や接続部の組付部を共通利用して、大容量電流を導通可能に電線を接続することができる。この結果、電線を接続対象として本体部を介して２組の接続部を備える構造を採用する場合には、大容量電流を導通可能にその電線同士を分岐接続する電線分岐接続具を構築することができる。
【発明の効果】
【００１５】
このように本発明の一態様によれば、大容量電流を導通可能な厚さの本体部と接続部を共通にして、大面積で電線外面に面接触する交換可能な導通部を複数種準備するだけで、異なる径の電線を簡易な構造で容易に接続することができる。また、本体部を介して２組の接続部（２組の電線接続構造）を備えさせることにより、大容量電流を導通可能に電線同士を簡易かつ容易に接続する電線分岐接続具を構築することもできる。また、複数種の導通部を準備・保管するだけでよく、保管作業が煩雑になったり、大きなスペースを占有されてしまうこともない。
【図面の簡単な説明】
【００１６】
【図１】本発明に係る電線接続構造を備える電線分岐接続具の第１実施形態を示す図であり、（ａ）はその外形平面図、（ｂ）はその外形正面図である。
【図２】その要部構造を示す拡大外形正面図である。
【図３】その要部部品を示す分割面側平面図である。
【図４】その図３と異なる要部部品を示す図であり、（ａ）はその上面図、（ｂ）はその正面図、（ｃ）はその底面図、（ｄ）はその側面図である。
【図５】その図２とは異なる組み合わせの要部構造を示す拡大外形正面図である。
【図６】本発明に係る電線接続構造を備える電線分岐接続具の第２実施形態を示す図であり、その要部構造を示す拡大外形正面図である。
【図７】本発明に係る電線接続構造を備える電線分岐接続具の第３実施形態を示す図であり、その要部構造を示す拡大外形正面図である。
【図８】本発明に係る電線接続構造を備える電線分岐接続具の第４実施形態を示す図であり、（ａ）はその要部構造を分割面側から見た平面図、（ｂ）はその要部構造の分割状態の外形正面図である。
【図９】本発明に係る電線接続構造を備える電線分岐接続具の第５実施形態を示す図であり、（ａ）はその要部構造を分割面側から見た平面図、（ｂ）はその要部構造の分割状態の外形正面図である。
【発明を実施するための形態】
【００１７】
本発明に係る電線接続構造の実施形態の一態様としては、大容量電流を導通可能に電線を接続する接続構造であって、前記電線を接続して大容量電流を導通させる接続対象側の本体部と、該本体部に連続して大容量電流を導通可能に前記電線を接続する接続部と、前記接続部を前記電線に圧接させるように締め付ける締付部と、を備えており、前記接続部は、大容量電流を導通可能に前記電線の外面に大面積で接触するように連結されるとともに大容量電流を導通可能に大きな断面積となる形状に形成されている導通部と、前記導通部を交換可能に組み付けられて大容量電流を導通可能に該導通部の外面に大面積で接触するように連結されるとともに大容量電流を導通可能に大きな断面積となる形状に形成されている組付部と、を有して、前記導通部は前記電線の線径に応じた外面に面接触可能な内面を形成されている複数種が準備されているとともに、前記組付部は前記本体部に連続する一体形状に形成されることにより、前記導通部は前記締付部の締付力により前記組付部と前記電線に圧接接触して大容量電流を導通可能に接続される構成を備えるのに加えて、次の構成を備えてもよい。
【００１８】
第１の他の態様としては、前記本体部および前記接続部は、前記電線と平行に延在する形状に形成されて、該接続部の前記導通部および前記組付部は前記電線回りを囲む形状に形成されていてもよい。
【００１９】
この態様では、電線と平行に延在して大面積で導通接触することができ、簡易な構造で大容量電流を導通可能に接続することができる。
【００２０】
第２の他の態様としては、前記本体部および前記接続部は、前記電線と平行方向の分割面を有する２つ割りに形成されて、該接続部は当該電線を挟み込む形態で前記締付部により締め付けられて圧接接続される構成にしてもよい。
【００２１】
この態様では、電線を挟み込む形態で締め付けて圧接接続させることができ、簡易な構造で大容量電流を導通可能に接続することができる。
【００２２】
第３の他の態様としては、前記接続部は、前記組付部内に前記導通部を収容する空間が形成されており、当該収容空間は、前記分割面側の開口幅が内部側よりも狭く形成されていてもよい。
【００２３】
この態様では、組付部内に収容した導通部は、分割面側の開口よりも幅広で、その開口から脱落してしまうことなく、組み付けた状態を維持することができ、取り扱いを容易化することができる。
【００２４】
第４の他の態様としては、前記接続部は、前記組付部内に前記導通部を収容する空間が形成されており、該組付部に当該収容空間内に貫通するネジ孔が形成されていてもよい。
【００２５】
この態様では、組付部内に収容した導通部は、ネジ孔を利用してネジ止めすることができ、不必要に移動することを制限して脱落しないように、組み付けた状態を維持することができ、取り扱いを容易化することができる。
【００２６】
第５の他の態様としては、前記本体部および前記接続部は、前記電線の延在方向に延長されており、前記締付部は、当該延長方向の複数箇所に配置されていてもよい。
【００２７】
この態様では、延在方向の複数箇所で締め付けて電線に圧接接続することができ、信頼性高く大容量電流を導通可能に接続することができる。
【００２８】
第６の他の態様としては、前記接続部は、前記組付部内に前記導通部を収容する空間が形成されており、該組付部と該導通部の一方または双方に、互いに係合する突起や溝を設けて、延在方向の移動を制限するようにしてもよい。
【００２９】
この形態では、組付部と導通部が延在方向に相対移動して接触面積を小さくしてしまうことを制限することができる。
【００３０】
本発明に係る電線分岐接続具の実施形態の一態様としては、上記の電線接続構造における前記本体部および前記締付部をそれぞれ少なくとも１つ以上備えるとともに前記接続部を２組以上備えて構成されており、前記接続部間に前記本体部が介在する状態にして複数本の前記電線同士を接続対象側として分岐接続する構成を備えるのに加えて、次の構成を備えてもよい。
【００３１】
第１の他の態様としては、前記電線同士を平行に接続するように前記接続部同士を並列させていてもよい。
【００３２】
また、第２の他の態様としては、前記電線同士を延在方向が交差する状態で接続するように前記接続部同士を配列させていてもよい。
【００３３】
これらの態様では、電線と平行または交差方向に延在するなど任意の形態で大容量電流を導通可能に接続することができる。
【００３４】
以下、図面を参照して、本発明の実施形態について詳細に説明する。図１〜図５は本発明に係る電線接続構造を備える電線分岐接続具の第１実施形態を示す図である。
【００３５】
図１および図２において、分岐クランプ（電線分岐接続具）１０は、電線を挟み込んで保持する状態にして導通接続させる一対の挟持プレート１１と、対面する状態にした挟持プレート１１同士を接近させる方向に締め付ける複数組のボルト１７およびナット１８（締付部）と、を備えて構築されている。
【００３６】
挟持プレート１１は、電線の架線方向に延在して平行に並列されている２組の接続部１２と、この接続部１２の間に介在する本体部１３と、を導電性材料により肉厚形状に一体形成することにより、接続する電線間に大容量電流を導通可能にする。接続部１２は、不図示の電線の導通心線（裸線の場合には電線自体）の外面に略一致する内面を有する接触溝１２ａを有しており、本体部１３は、その接続部１２間の延在方向の複数箇所にボルト１７を差し込んで貫通させるネジ穴１４が開口されている。
【００３７】
すなわち、この挟持プレート１１は、接続部１２および本体部１３を接触溝１２ａの形成面（分割面１１ｓ）で２分割して対面させる簡易な構造になっており、電線を接続部１２の接触溝１２ａ内に接触導通させる状態に容易に挟み込んで、本体部１３のネジ穴１４に貫通させたボルト１７にナット１８を螺合させて締め付けることができ、接続部１２の接触溝１２ａに電線を圧接させて大面積で面接触させることにより、電線同士を大容量電流を導通可能に接続することができる。言い換えると、一方の接続部１２（電線）を接続対象側として他方の接続部１２に電線を導通接続することができる。
【００３８】
なお、ボルト１７とナット１８は、ワッシャ１９を介在させることにより緩まないように締め付けるようになっている。また、ボルト１７のヘッド側の隣接位置には、ボックス形状部１７ａが形成されおり、そのボルト１７を差し込む本体部１３のネジ穴１４は、そのボックス形状部１７ａを相対回転不能に収容するボックス形状の収容穴に形成されている。これにより、ボルト１７が一緒に回転しないように本体部１３側に固定してナット１８を回転させるだけで螺合させることができる。
【００３９】
また、挟持プレート１１（接続部１２および本体部１３）は、ボルト１７とナット１８の締付箇所毎に、Ｈ字形の肉厚部１１ａがスリット部１１ｂを介して長手方向に隣接するように並列されており、そのスリット部１１ｂと、挟持プレート１１の長手方向側辺側に位置するＨ字の開口部１１ｃとが外面側を窪ませた凹形状に形成されている。これにより、ボルト１７とナット１８は、締付力が隣接する側に影響するのが小さくされて、複数箇所の肉厚部１１ａ毎に信頼性高く締め付けることができ、大容量電流を導通可能な接続状態を維持することができる。
【００４０】
そして、挟持プレート１１の接続部１２は、図２〜図４に示すように、本体部１３と一体成形されて同一材料からなる外面側の組付部２１と、この組付部２１とは別体に作製されて組み付けられる内面側の導通部２２と、により構築されており、これら組付部２１と導通部２２は、それぞれ大容量電流を導通可能に長手方向（電線の延長方向）に延在して十分な縦断面積となる形状に形成されている。
【００４１】
接続部１２の導通部２２は、本体部１３と一体の組付部２１に形成されている組付溝２１ａ内に嵌め込んで取り付けるようになっており、組付部２１の組付溝２１ａは、肉厚部１１ａの背面側内面で挟持プレート１１の長手方向に連続するように刻設される一方、導通部２２は、接触溝１２ａの背面側外面にその組付溝２１ａに密着する状態に嵌め込んで接触導通可能な嵌着面２２ａが形成されている。
【００４２】
組付部２１の組付溝２１ａと導通部２２の嵌着面２２ａは、接触溝１２ａ内に導通接触させて保持する電線（導通心線）の周囲を囲む断面四角形状で角部を面取りした空間を形成する略同一形状に形成されており、組付溝２１ａよりも大きめに嵌着面２２ａを形成することにより嵌め込み時には全面が圧接密着して導通接触するように形成されている。すなわち、組付部２１および導通部２２は、接触溝１２ａ内に導通保持する電線回り囲む状態で平行に延在する形態に作製されており、それぞれ大きな接触面で導通接触して大容量電流を導通可能に形成されている。
【００４３】
また、導通部２２は、組付部２１の組付溝２１ａに嵌め込み可能に同一の嵌着面２２ａを備える（共通にする）複数種が準備されており、接続対象とする電線の導通心線の線径に応じた外面（外径）に対応するように異なる内面（内面）の接触溝１２ａがそれぞれ形成されている。
【００４４】
これにより、分岐クランプ１０は、２枚の挟持プレート１１の接続部１２の組付部２１の組付溝２１ａ内に、接続対象の２本の電線の導通心線の外面（外径）に略一致する内面（内径）を有する接触溝１２ａが形成されている導通部２２を２本選択（準備）して嵌め込むことにより嵌着面２２ａを圧接接触させて導通接続させることができる。この下準備の後に、分岐クランプ１０は、挟持プレート１１を対面させる姿勢にしつつ接触溝１２ａの間に並行にした電線の導通心線を位置させて挟み込んでボルト１７とナット１８により締め付けることにより、接続部１２の組付部２１と導通部２２の導通状態を確保しつつその導通部２２を電線の導通心線に導通接触させることができ、大容量電流を導通可能に電線同士を確実に接続することができる。
【００４５】
したがって、例えば、発変電所のように大容量電流が導通する電力線を分岐する場合でも、幹電線と分岐電線の双方に十分な接触面積で圧接接続して大容量電流を導通可能な分岐接続をすることができ、その幹電線および分岐電線の線径に応じた接触溝１２ａの導通部２２を選択して組付部２１に嵌着させた接続部１２の挟持プレート１１を準備するだけでその分岐接続作業を容易かつ簡易に完了することができる。また、汎用のボルト１７およびナット１８を含めて、共通の挟持プレート１１と共に、複数種の導通部２２を準備・保管管理するだけで多種多様の分岐接続作業を高品質に完了することができ、例えば、大容量電流の導通する幹電線に中容量電流を分岐させる分岐電線を接続する場合でも、図５に示すように、幹電線の導通心線の外面（外径）に対応する接触溝１２ａ１が形成されている導通部２２Ａと、分岐電線の導通心線の外面に対応する接触溝１２ａ２が形成されている導通部２２Ｂと、を選択して挟持プレート１１の組付部２１の組付溝２１ａに嵌め込むだけで対応することができ、幹電線から分岐電線に所望の電流容量を導通可能に接続することができる。
【００４６】
このように本実施形態においては、大容量電流を導通可能な厚さの挟持プレート１１（本体部１３と接続部１２）を準備して、その接続部１２の組付部２１に組み付ける導通部２２を準備してボルト１７とナット１８により締め付けるだけで、電線同士を導通接続することができ、同一種（同一線径）の電線同士だけでなく、異種（異径）の電線同士も導通接続させることができる。このため、共通の挟持プレート１１や汎用のボルト１７およびナット１８と共に、複数種の導通部２２を選択可能に準備しておくだけで、多種多様の電線同士を分岐接続可能で、汎用性が高く管理も容易で保管スペースも小面積で済む分岐クランプ１０を実現することができる。
【００４７】
次に、図６は本発明に係る電線接続構造を備える電線分岐接続具の第２実施形態を示す図である。ここで、本実施形態は、上述実施形態と略同様の構成を備えることから同様の構成には同一の符号を付して特徴部分を説明する（以下で説明する他の実施形態においても同様）。
【００４８】
図６において、分岐クランプ１０は、上述実施形態と同様に、一対の挟持プレート１１と、複数組のボルト１７およびナット１８と、を備えて構築されており、本実施形態の挟持プレート１１の接続部１２は、組付部２１の延在方向の側面の複数箇所（少なくとも２箇所）にネジ孔３８が穿孔形成されている。このネジ孔３８には、汎用の小ボルト３７の雄ネジ部を螺合させる雌ネジ部が刻設されている。
【００４９】
これにより、挟持プレート１１は、組付部２１の組付溝２１ａ内に導通部２２を嵌着させて嵌着面２２ａを圧接接触させて導通接続する状態にして接続部１２を組み立てた後に、そのネジ孔３８に小ボルト３７を螺合させて先端部を導通部２２に突き当てるだけで、多少の衝撃が加えられたとしても、その組付部２１から導通部２２が不用意に脱落してしまうことを防止することができる。
【００５０】
このように本実施形態においては、上述実施形態により得られる作用効果に加えて、組付部２１に組み付けた導通部２２が外れてしまうことがなく、注意を払うことなく容易に挟持プレート１１を取り扱って電線同士の導通接続作業を行うことができる。したがって、組付部２１から導通部２２が外れてしまって、再度その組付作業を行うことになることを未然に回避することができる。
【００５１】
次に、図７は本発明に係る電線接続構造を備える電線分岐接続具の第３実施形態を示す図である。
【００５２】
図７において、分岐クランプ１０は、上述実施形態と同様に、一対の挟持プレート１１と、複数組のボルト１７およびナット１８と、を備えて構築されており、本実施形態の挟持プレート１１の接続部１２を構成する、組付部２１の組付溝２１ａと導通部２２の嵌着面２２ａは、挟持プレート１１の分割面１１ｓ側の側壁面２１ｂ、２２ｂがその分割面１１ｓ側ほど接近する、言い換えると、側壁面２１ｂの開口幅（側壁面２２ｂの背面間隔）が内部側よりも分割面１１ｓ側ほど狭くなるように形成されている。
【００５３】
これにより、挟持プレート１１の接続部１２は、組付部２１の組付溝２１ａ内に導通部２２を一端側から差し込むようにして嵌着させることができる。このため、接続部１２は、組み立てた後には、組付部２１の挟持プレート１１の分割面１１ｓ側から導通部２２が脱落してしまうことをなくすことができ、多少の衝撃が加えられたとしても、その組付部２１から導通部２２が完全に脱落してしまうことを防止することができる。
【００５４】
このように本実施形態においては、上述実施形態により得られる作用効果に加えて、組付部２１に組み付けた導通部２２が外れてしまうことを制限することができ、注意を払うことなく容易に挟持プレート１１を取り扱って電線同士の導通接続作業を行うことができる。したがって、組付部２１から導通部２２が完全に外れてしまって、再度その組付作業を行うことになることを未然に回避することができる。
【００５５】
次に、図８は本発明に係る電線接続構造を備える電線分岐接続具の第４実施形態を示す図である。
【００５６】
図８において、分岐クランプ１０は、上述実施形態と同様に、一対の挟持プレート１１と、複数組のボルト１７およびナット１８と、を備えて構築されており、本実施形態の挟持プレート１１の接続部１２は、組付部２１の挟持プレート１１の分割面１１ｓ側の側壁面２１ｃ（上述実施形態における組付溝２１ａの鉛直部分）に係合溝３１が刻設されているとともに、導通部２２の挟持プレート１１の分割面１１ｓ側の側壁面２２ｃ（上述実施形態における嵌着面２２ａの鉛直部分）には、その係合溝３１に係合する係合突起３２が一体形成されている。
【００５７】
これにより、挟持プレート１１は、組付部２１の組付溝２１ａ内に導通部２２の嵌着面２２ａを嵌着させる際に、組付部２１の係合溝３１に導通部２２の係合突起３２を係合させる状態にするだけで、接続部１２を組み立てた後に導通部２２が組付部２１に対して長さ方向にスライドしてしまうことを制限することができ、互いに全面同士が圧接接触して導通接続されている状態を維持することができる。
【００５８】
このように本実施形態においては、上述実施形態により得られる作用効果に加えて、組付部２１と導通部２２の導通面積を信頼性高く維持することができ、注意を払うことなく挟持プレート１１の間に電線を挟み込んで導通接続作業を行うことができる。したがって、組付部２１から導通部２２がずれてしまって、再度その組付作業を行うことになることを未然に回避することができる。
【００５９】
次に、図９は本発明に係る電線接続構造を備える電線分岐接続具の第５実施形態を示す図である。
【００６０】
図９において、分岐クランプ１０は、上述実施形態と同様に、一対の挟持プレート１１と、複数組のボルト１７およびナット１８と、を備えて構築されており、本実施形態の挟持プレート１１の接続部１２は、組付部２１の挟持プレート１１の分割面１１ｓ側の側壁面２１ｃの両端部に内方に突出する係合爪３５が形成されているとともに、導通部２２の挟持プレート１１の分割面１１ｓ側の側壁面２２ｃの両端側には、その係合爪３５間に嵌込可能に面取りした係合斜面３６が形成されている。
【００６１】
これにより、挟持プレート１１は、組付部２１の組付溝２１ａ内に導通部２２の嵌着面２２ａを嵌着させる際に、組付部２１の係合爪３５に導通部２２の係合斜面３６が対面係合する状態にするだけで、接続部１２を組み立てた後に導通部２２が組付部２１に対して長さ方向にスライドしてしまうことを制限することができ、互いに全面同士が圧接接触して導通接続されている状態を維持することができる。
【００６２】
このように本実施形態においては、上述実施形態により得られる作用効果に加えて、組付部２１と導通部２２の導通面積を信頼性高く維持することができ、注意を払うことなく挟持プレート１１の間に電線を挟み込んで導通接続作業を行うことができる。したがって、組付部２１から導通部２２がずれてしまって、再度その組付作業を行うことになることを未然に回避することができる。
【００６３】
ここで、上述実施形態の他の態様としては、図示することは省略するが、挟持プレート１１の間に挟み込んで導通接続する電線は並行に限るものではなく、例えば、延在方向が交差する状態（例えば、Ｔ字形状）で電線同士を接続する必要がある場合にも適用することができ、電線の両側方を締め付けるようにボルトやナットを配列すればよい。また、挟持プレートは、２本の電線同士を接続するだけでなく、３本以上を導通接続するようにしてもよく、この場合には、電線間を締め付けるようにして信頼性高く圧接接触させて導通接続させることができるようにすればよく、また、挟持プレート間での圧接接触による導通接続だけでなく、圧縮スリーブのような圧着接続による導通接続と組み合わせるようにしてもよい。
【００６４】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００６５】
これまで本発明の一実施形態について説明したが、本発明は上述の実施形態に限定されず、その技術的思想の範囲内において種々異なる形態にて実施されてよいことは言うまでもない。
【符号の説明】
【００６６】
１０    分岐クランプ
１１    挟持プレート
１１ｓ  分割面
１２    接続部
１２ａ、１２ａ１、１２ａ２      接触溝
１３    本体部
１４    ネジ穴
１７    ボルト
１８    ナット
１９    ワッシャ
２１    組付部
２１ａ  組付溝
２１ｂ、２２ｂ、２１ｃ、２２ｃ、        側壁面
２２、２２Ａ、２２ｂ    導通部
２２ａ  嵌着面
３１    係合溝
３２    係合突起
３５    係合爪
３６    係合斜面
３７    小ボルト
３８    ネジ孔
【図１】
0005389132.tif 000002
【図２】
0005389132.tif 000003
【図３】
0005389132.tif 000004
【図４】
0005389132.tif 000005
【図５】
0005389132.tif 000006
【図６】
0005389132.tif 000007
【図７】
0005389132.tif 000008
【図８】
0005389132.tif 000009
【図９】
0005389132.tif 000010